(57)【特許請求の範囲】
【請求項１】
厨芥を収納し上方開口で側面上方に略水平方向に伸びるつば部を有した円筒形なる生ごみ収納容器と、前記生ごみ収納容器を収納する外容器を有した本体と、前記本体の外容器に収納された生ごみ収納容器を覆うように、本体上面部にその一端近傍を回動の軸として開閉自在に設けられた蓋と、前記生ごみ収納容器の上方開口部と対向するように前記蓋に設けられ、表面にヒータカバーを有した、前記厨芥を加熱する加熱手段とを備え、前記外容器に収納された状態の前記円筒形なる生ごみ収納容器の側面部のつば部の内、前記蓋の回動中心側に相当する部分を、天面側から見て略直線状すなわち側面側から見て平面状とするとともに、前記平面状の部分と対向する前記外容器の部分も、前記平面状の部分と当接可能な平面状とした生ごみ処理機。
【発明の詳細な説明】
【０００１】
【発明の属する技術分野】
本発明は台所等で出る生ごみを処理する生ごみ処理機に関するものである。
【０００２】
【従来の技術】
従来の生ごみ処理機を図６、図７を用いて説明すると、１は本体、２は生ごみを収納する生ごみ収納容器で、底面に生ごみを撹拌する撹拌羽根３を備えている。この生ごみ収納容器２の上部に生ごみを加熱する加熱手段４が配してある。加熱手段４は乾燥用ヒータ５及び、乾燥ファン６から構成され、熱風を生ごみに当てて生ごみの表面を加熱する。なお乾燥ファン６は乾燥モーター７により回転駆動される。
【０００３】
また生ごみ収納容器２の上方に吸気口８が設けられており、この吸気口８は排気経路９を通じて脱臭装置１０に接続されている。脱臭装置１０は加熱されて臭気を脱臭する触媒フィン１１と、触媒フィン１１を加熱する触媒ヒータ１２と、臭気を触媒フィン１１を介して排気口１３より外部に排出する排気装置１４（排気ファン１５、排気モーター１６、冷却ファン１７）から構成されている。触媒フィン１１は金属パイプ１１ａの周囲に金属薄板を螺旋状に巻いたり、金属円板を多層に重ねたものに触媒を担持して形成され、金属パイプ１１ａの中に触媒ヒータ１２を挿入している。金属パイプ１１ａと触媒ヒータ１２との隙間は直径で約０．５ｍｍである。本体１内には制御回路１８、撹拌羽根３を駆動する駆動装置１９を設けてある。
【０００４】
上記の様な従来の生ごみ処理機において、本体１の運転（生ごみの加熱）と同時に脱臭装置１０の加熱手段である触媒加熱ヒータが作動し触媒フィン１１が加熱され、排気手段１４も作動すると、吸気口８から外気が吸引され、生ごみ収納容器２内の臭気を含む空気を脱臭装置１０で脱臭し、排気口１３より外部に排気する。
【０００５】
【発明が解決しようとする課題】
しかしながら上記従来の生ごみ処理機においては、また、従来の生ごみ処理機は蓋を開けた時、ヒータカバーに付着した乾燥ごみが本体の上端部や操作面に落下し汚れやすいため、蓋の回動中心をできるだけ前方へ移すと、生ごみ収納容器を取出す時、上端の後ろが蓋パッキンに当って、取出し難い。
【０００６】
また、本体寸法が同じで、生ごみ収納容器の容積が従来と同じ小さいものにするという機種展開を考えた場合、生ごみ収納容器の径は従来と同じで上端をテーパー状に広げると容易に対応できる。しかし、この場合、大容量と従来の容量の生ごみ収納容器いずれでも２種類の本体にセット可能となり、本来と違った生ごみ収納容器をセットした場合、最適な乾燥制御が行えないという課題がある。
【０００７】
本体寸法を変えずに生ごみ処理量を多くするには、生ごみ収納容器の直径を本体の幅いっぱいまで広げて寸胴形状にするのが有効である。しかし、生ごみ収納容器の直径を大きくすると、生ごみの受熱面積が拡大するため加熱手段４から生ごみへの熱伝達が良くなり、単位時間当たりの蒸発量が増加するため脱臭装置の性能を維持するためには触媒フィンの浄化能力を向上させねばならないという課題がある。
【０００８】
本発明は上記課題を解決するもので、生ごみ収納容器の使用性を向上させ、かつ脱臭能力も性能を向上させた生ごみ処理機を提供することを目的とする。
【０００９】
【課題を解決するための手段】
上記の目的を達成するために本発明は、厨芥を収納し上方開口で側面上方に略水平方向に伸びるつば部を有した円筒形なる生ごみ収納容器と、前記生ごみ収納容器を収納する外容器を有した本体と、前記本体の外容器に収納された生ごみ収納容器を覆うように、本体上面部にその一端近傍を回動の軸として開閉自在に設けられた蓋と、前記生ごみ収納容器の上方開口部と対向するように前記蓋に設けられ、表面にヒータカバーを有した、前記厨芥を加熱する加熱手段とを備え、前記外容器に収納された状態の前記円筒形なる生ごみ収納容器の側面部のつば部の内、前記蓋の回動中心側に相当する部分を、天面側から見て略直線状すなわち側面側から見て平面状とするとともに、前記平面状の部分と対向する前記外容器の部分も、前記平面状の部分と当接可能な平面状とした生ごみ処理機で、生ごみ収納容器を蓋に当たることなく容易に本体より取り出すことができるとともに、前記本体内にて前記生ごみ収納容器が回転するのも防止できる。
【００１０】
【発明の実施の形態】
本発明の請求項１記載の発明によれば、厨芥を収納し上方開口で側面上方に略水平方向に伸びるつば部を有した円筒形なる生ごみ収納容器と、前記生ごみ収納容器を収納する外容器を有した本体と、前記本体の外容器に収納された生ごみ収納容器を覆うように、本体上面部にその一端近傍を回動の軸として開閉自在に設けられた蓋と、前記生ごみ収納容器の上方開口部と対向するように前記蓋に設けられ、表面にヒータカバーを有した、前記厨芥を加熱する加熱手段とを備え、前記外容器に収納された状態の前記円筒形なる生ごみ収納容器の側面部のつば部の内、前記蓋の回動中心側に相当する部分を、天面側から見て略直線状すなわち側面側から見て平面状とするとともに、前記平面状の部分と対向する前記外容器の部分も、前記平面状の部分と当接可能な平面状とした生ごみ処理機で、生ごみ収納容器を蓋に当たることなく容易に本体より取り出すことができるとともに、前記本体内にて前記生ごみ収納容器が回転するのも防止できる。
【００１１】
【実施例】
以下、本発明の一の実施例について添付図面をもとに説明する。なお従来例と同一構成部品については同一符号を付して説明を省略する。
【００１２】
図１において、本体１は従来のものと幅、高さ、奥行きが同一であり、生ごみ収納容器２は径を本体１の幅に入る範囲いっぱいまで大きくし、寸胴形状にしている。２０は生ごみ収納容器２を収容する外容器である。
【００１３】
図２において、２１は追加触媒フィンで、金属パイプの周囲に金属の略円板を重ねてその表面に触媒を担持している。追加触媒２１は触媒フィン１１の上に重ね、触媒ケース２２の出口２３側の空間に置かれている。追加触媒フィン２１を触媒ケース２２内に加えることにより、脱臭装置の形状を変えること無しに性能を向上させることができる。
【００１４】
図３において、本体１の生ごみ収納容器２を覆う開閉自在な蓋２８を開いた時に、前記蓋２８の、前記生ごみ収納容器２の蓋２８の回動中心側の側面部に設けた、天面側から見て略直線状部２７の上方でかつ近傍に、複数のリブ２４を設けている。２５は蓋パッキン、２６はヒータカバーである。これにより、蓋２８の回動中心をできるだけ前方へ移した生ごみ処理機において、生ごみ収納容器２を取出す時、生ごみ収納容器２の上端の後ろが蓋パッキン２５に当接して取出しにくくなるということはない。
【００１５】
図４は、容積の小さい生ごみ収納容器２を用いる機種の外容器２０と生ごみ収納容器２のセット状態を表している。外容器２０の開口径は容積の大きな生ごみ収納容器２を用いる機種の外容器２０の開口径と同一であるが、底付近に凸部が設けられており、容積の大きな生ごみ収納容器２を誤使用することはない。
【００１６】
本発明の作用について以下説明する。
【００１７】
図２において、金属パイプ１１ａと触媒ヒータ１２との隙間に金属薄板のリング２７を挿入している。金属パイプ１１ａと触媒ヒータ１２との隙間は直径で約０．５ｍｍであり、組立性を考えるとリング２７の厚みは約０．１ｍｍから０．２ｍｍの間となる。金属パイプ１１ａと触媒ヒータ１２との隙間にリング２７を挿入することによって、触媒ヒータから触媒フィンへの熱伝達が向上し、触媒フィンの温度分布を均一化できるので、脱臭性能を向上させた生ごみ処理機を提供できる。
【００１８】
図３、図５において、本体１の生ごみ収納容器２を覆う開閉自在な蓋２８の回動中心側で、上方開口なる円筒形の生ごみ収納容器２の側面部の一部に、天面側から見て略直線状部２７を、前記生ごみ収納容器２を前記本体１に収納したとき、前記生ごみ収納容器２の直線状部２７と対向する本体１側も、天面側から見て直線状３０したことによって、生ごみ収納容器２を本体１にセットした時、前記直線状部２７と前記直線状部３０が当接して、生ごみ収納容器２の位置規制（回り止め）になり、また、生ごみ収納容器２を取出す場合、生ごみ収納容器２の直線状部２７が前記複数のリブ２４に沿うので、スムーズに取出すことができる。
【００１９】
【発明の効果】
本発明によれば、生ごみ収納容器の使用性を向上させ、かつ脱臭能力も性能を向上させた生ごみ処理機を提供できる。
【図面の簡単な説明】
【図１】  本発明の一実施例の生ごみ処理機の断面図
【図２】  同脱臭装置の断面図
【図３】  同生ごみ処理機の斜視図
【図４】  同生ごみ収納容器の断面図
【図５】  同生ごみ収納容器の斜視図
【図６】  従来の生ごみ処理機の断面図
【図７】  同脱臭装置の断面図
【符号の説明】
１  本体
２  生ごみ収納容器
２７  略直線状部（生ごみ収納容器）
２８  蓋
３０  略直線状部（本体）
【図１】
0003945294.tif 000002
【図２】
0003945294.tif 000003
【図３】
0003945294.tif 000004
【図４】
0003945294.tif 000005
【図５】
0003945294.tif 000006
【図６】
0003945294.tif 000007
【図７】
0003945294.tif 000008